【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  光ディスクからボリューム認識列におけるボリューム空間に関する記述が行われた第１の情報を読み出して、ディレクトリ階層に関する記述が行われた第２の情報の記録位置情報を取得する工程と、
前記記録位置情報に基づいて、前記第２の情報を読み出す工程と、
前記第２の情報に、所定のディレクトリ識別子が含まれているか否かに基づいて光ディスクの判別を行う工程とを有する
ことを特徴とする光ディスク判別方法。
【請求項２】  前記ボリューム認識列は、ＵＤＦ(Universal Disc Format)ブリッジのUDF Bridge Volume Recognition Sequenceである
ことを特徴とする請求項１記載の光ディスク判別方法。
【請求項３】  前記第１の情報は基本ボリューム記述子、前記第２の情報はパステーブル、前記所定のディレクトリ識別子は映像および／または音声のディレクトリ識別子である
ことを特徴とする請求項１記載の光ディスク判別方法。
【請求項４】  前記第１の情報の読み出しは、
前記光ディスクのデータエリアから所定の論理セクタの読み出しを行い、読み出した情報に所定の規格識別子が含まれていたとき、該読み出した情報を前記第１の情報とする
ことを特徴とする請求項１記載の光ディスク判別方法。
【請求項５】  光ディスクからボリューム認識列におけるボリューム空間に関する記述が行われた第１の情報の読み出しを行い、ディレクトリ階層に関する記述が行われた第２の情報の記録位置情報を取得する工程と、
前記記録位置情報に基づいて、前記第２の情報を読み出す工程と、
読み出した前記第２の情報に、所定のディレクトリ識別子が含まれているか否かに基づいて光ディスクの判別を行う工程と、
前記光ディスクの判別結果に応じて前記光ディスクの再生動作を制御する工程とを有する
ことを特徴とする光ディスク再生方法。
【請求項６】  前記ボリューム認識列は、ＵＤＦ(Universal Disc Format)ブリッジのUDF Bridge Volume Recognition Sequenceである
ことを特徴とする請求項５記載の光ディスク再生方法。
【請求項７】  前記再生動作を制御する工程では、前記光ディスクからの情報の読み出し速度を、前記判別結果に応じて切り替える
ことを特徴とする請求項５記載の光ディスク再生方法。
【請求項８】  前記再生動作を制御する工程では、前記光ディスクに記録されている情報を読み出すことができないときの応答処理を、前記判別結果に基づいて切り替える
ことを特徴とする請求項５記載の光ディスク再生方法。
【請求項９】  前記再生動作を制御する工程では、前記光ディスクの判別によって、映像および／または音声を記録した形式の光ディスクと判別したとき、消費電力が異なる複数の再生動作を切り替え可能とする
ことを特徴とする請求項５記載の光ディスク再生方法。
【請求項１０】  前記複数の再生動作は、前記光ディスクの回転駆動方式が異なる再生動作である
ことを特徴とする請求項９記載の光ディスク再生方法。
【請求項１１】  光ディスクに記録されている情報の読み出しを行う読み出し手段と、
前記読み出し手段を制御して、前記光ディスクからボリューム認識列におけるボリューム空間に関する記述が行われた第１の情報の読み出しを行い、ディレクトリ階層に関する記述が行われた第２の情報の記録位置情報を取得するものとし、該記録位置情報に基づいて読み出した前記第２の情報に、所定のディレクトリ識別子が含まれているか否かに基づいて前記光ディスクの判別を行い、判別結果に応じた動作制御を行う制御手段とを有する
ことを特徴とする光ディスク装置。
【請求項１２】  前記ボリューム認識列は、ＵＤＦ(Universal Disc Format)ブリッジのUDF Bridge Volume Recognition Sequenceである
ことを特徴とする請求項１１記載の光ディスク装置。
【請求項１３】  前記第１の情報は基本ボリューム記述子、前記第２の情報はパステーブル、前記所定のディレクトリ識別子は映像および／または音声のディレクトリ識別子である
ことを特徴とする請求項１１記載の光ディスク装置。
【請求項１４】  前記制御手段では、前記光ディスクからの情報の読み出し速度を、前記判別結果に基づいて切り替える
ことを特徴とする請求項１１記載の光ディスク装置。
【請求項１５】  前記制御手段では、前記光ディスクに記録されている情報を読み出すことができないときの応答処理を、前記判別結果に基づいて切り替える
ことを特徴とする請求項１１記載の光ディスク装置。
【請求項１６】  前記制御手段では、前記光ディスクの判別によって、映像および／または音声を記録した形式の光ディスクと判別したとき、消費電力が異なる複数の再生動作を切り替え可能とする
ことを特徴とする請求項１１記載の光ディスク装置。
【請求項１７】  前記複数の再生動作は、前記光ディスクの回転駆動方式が異なる再生動作である
ことを特徴とする請求項１６記載の光ディスク装置。
【手続補正２】
【補正対象書類名】明細書
【補正対象項目名】０００１
【補正方法】変更
【補正の内容】
【０００１】
【発明の属する技術分野】
この発明は、光ディスク判別方法と光ディスク再生方法および光ディスク装置に関する。詳しくは、光ディスクからボリューム認識列におけるボリューム空間に関する記述が行われた第１の情報の読み出しを行い、ディレクトリ階層に関する記述が行われた第２の情報の記録位置情報を取得し、この記録位置情報に基づいて読み出した第２の情報に、所定のディレクトリ識別子が含まれているか否かに基づいて光ディスクの判別を行い、判別結果に応じて光ディスクの再生動作を制御するものである。
【手続補正３】
【補正対象書類名】明細書
【補正対象項目名】０００８
【補正方法】変更
【補正の内容】
【０００８】
【課題を解決するための手段】
この発明に係る光ディスク判別方法は、光ディスクからボリューム認識列におけるボリューム空間に関する記述が行われた第１の情報を読み出して、ディレクトリ階層に関する記述が行われた第２の情報の記録位置情報を取得する工程と、前記記録位置情報に基づいて、前記第２の情報を読み出す工程と、前記第２の情報に、所定のディレクトリ識別子が含まれているか否かに基づいて光ディスクの判別を行う工程とを有するものである。
【手続補正４】
【補正対象書類名】明細書
【補正対象項目名】０００９
【補正方法】変更
【補正の内容】
【０００９】
また、この発明に係る光ディスク再生方法は、光ディスクからボリューム認識列におけるボリューム空間に関する記述が行われた第１の情報の読み出しを行い、ディレクトリ階層に関する記述が行われた第２の情報の記録位置情報を取得する工程と、前記記録位置情報に基づいて、前記第２の情報を読み出す工程と、読み出した前記第２の情報に、所定のディレクトリ識別子が含まれているか否かに基づいて光ディスクの判別を行う工程と、前記光ディスクの判別結果に応じて前記光ディスクの再生動作を制御する工程とを有するものである。
【手続補正５】
【補正対象書類名】明細書
【補正対象項目名】００１０
【補正方法】変更
【補正の内容】
【００１０】
また、この発明に係る光ディスク再生装置は、光ディスクに記録されている情報の読み出しを行う読み出し手段と、前記読み出し手段を制御して、前記光ディスクからボリューム認識列におけるボリューム空間に関する記述が行われた第１の情報の読み出しを行い、ディレクトリ階層に関する記述が行われた第２の情報の記録位置情報を取得するものとし、該記録位置情報に基づいて読み出した前記第２の情報に、所定のディレクトリ識別子が含まれているか否かに基づいて前記光ディスクの判別を行い、判別結果に応じた動作制御を行う制御手段とを有するものである。
【手続補正６】
【補正対象書類名】明細書
【補正対象項目名】００１１
【補正方法】変更
【補正の内容】
【００１１】
この発明においては、光ディスクからボリューム認識列におけるボリューム空間に関する記述が行われた第１の情報（例えば基本ボリューム記述子）の読み出しが行われて、ディレクトリ階層に関する記述が行われた第２の情報（例えばパステーブル）の記録位置情報が取得される。この記録位置情報に基づいて、読み出した前記第２の情報に、所定のディレクトリ識別子（例えば映像および／または音声のディレクトリ識別子）が含まれているか否かに基づいて光ディスクの判別が行われる。さらに、光ディスクの判別結果に応じて、光ディスクからの情報の読み出し速度や、光ディスクに記録されている情報を読み出すことができないときの応答処理が切り替えられる。また、映像および／または音声を記録した形式の光ディスクと判別されたときには、消費電力が異なる再生動作、例えば光ディスクの回転駆動方式が切り替え可能とされる。
【手続補正７】
【補正対象書類名】明細書
【補正対象項目名】００４２
【補正方法】変更
【補正の内容】
【００４２】
ここで、例えばＤＶＤ−Video形式で記録された光ディスクには、「VIDEO_TS」のディレクトリが必ず存在し、「Path Table Record」の「Directory Identifier」には、映像のデータのディレクトリを示すディレクトリ識別子”VIDEO_TS”が設定される。このため、光ディスク装置２０では、ボリューム空間に関する記述が行われた「Primary Volume Descriptor」を光ディスク１０から読み出して、ディレクトリ階層に関する記述が行われた「Path Table」の記録位置情報を取得する。さらに、この記録位置情報に基づいて、「Path Table」を読み出し、映像や音声のディレクトリを示すディレクトリ識別子が含まれているか否かに基づいて光ディスクの判別を行う。
【手続補正８】
【補正対象書類名】明細書
【補正対象項目名】００５１
【補正方法】変更
【補正の内容】
【００５１】
ステップＳＴ１１では、読み出したパステーブルの情報に所定のディレクトリ識別子が含まれているか否かを判別する。ここで、所定のディレクトリ識別子、例えば映像や音声のディレクトリを示すディレクトリ識別子が検出されたときには、ステップＳＴ１２に進み、映像や音声を記録した形式の光ディスクと判別して光ディスク判別動作を終了する。また、映像や音声のディレクトリを示すディレクトリ識別子が検出されないときにはステップＳＴ１３に進み、映像や音声を記録した形式でない光ディスクと判別して、光ディスク判別動作を終了する。
【手続補正９】
【補正対象書類名】明細書
【補正対象項目名】００５４
【補正方法】変更
【補正の内容】
【００５４】
このように、光ディスク１０からボリューム認識列におけるボリューム空間に関する記述が行われた基本ボリューム記述子を読み出して、ディレクトリ階層に関する記述が行われたパステーブルの記録位置情報を取得し、この記録位置情報に基づいて読み出したパステーブルに、映像や音声のデータが記録されていることを示すディレクトリ識別子が含まれているか否かに基づいて光ディスクの判別を行う。ここで、ボリューム認識列の情報は必ず読み出される情報であることから、パステーブルの記録位置が異なる光ディスクを用いた場合であっても、パステーブルの記録位置を判別できる。すなわち、パステーブルを読み出して光ディスクの判別が可能となり、光ディスクの判別能力を高めることができる。また、ボリューム認識列の情報を読み出したときに光ディスクの判別を同時に行うことができる。なお、光ディスクの判別は、コンピュータ装置からの読み出し要求に応じて実施する場合に限られるものでなく、例えば光ディスク１０が光ディスク装置２０に装着されたとき自動的に行うものとしても良い。
【手続補正１０】
【補正対象書類名】明細書
【補正対象項目名】００６２
【補正方法】変更
【補正の内容】
【００６２】
【発明の効果】
この発明によれば、光ディスクからボリューム認識列におけるボリューム空間に関する記述が行われた第１の情報の読み出しが行われて、ディレクトリ階層に関する記述が行われた第２の情報の記録位置情報が取得される。この記録位置情報に基づいて読み出した第２の情報に、所定のディレクトリ識別子が含まれているか否かに基づいて光ディスクの判別が行われる。このため、所定のディレクトリ識別子が含まれる第２の情報の記録位置が変更されても判別が可能となり、光ディスクの判別能力を高めることができる。